(57)【要約】【課題】遠隔モバイル位置識別デバイスから受信された位置データに基づいて所望の位置までの方向を生成するシステムを提供すること。【解決手段】遠隔モバイル位置識別デバイスから受信された位置データに基づいて所望の位置までの方向を生成するシステムであって、アナログ信号をデータ構造に変換する受信器であって、データ構造は、所望の位置を表す遠隔位置データを含んでいる、受信器と、受信器と通信する車両内データベースであって、車両内データベースは、データ構造を保存する、車両内データベースと、車両プロセッサであって、車両プロセッサは、データ構造内に含まれる少なくとも２つの要素に基づいて、所望の位置までのルーティング方向を生成する、車両プロセッサと、を備えている、システム。【選択図】図１
2011137831.tif 000002
【特許請求の範囲】
【請求項１】
画像に基づいて所望の位置までの方向を生成するシステムであって、
前記システムは、
埋め込まれた位置データを有する画像データを含む電子信号を受信する受信器であって、前記位置データは、前記画像データに関連付けられた地理的位置を識別する、受信器と、
前記受信器の地理的位置を決定する測位モジュールと、
前記画像データに埋め込まれた前記位置データおよび前記受信器の地理的位置を処理し、前記受信器の地理的位置から前記画像データに関連付けられた地理的位置までのルートを示すグラフィカルマップを生成するプロセッサと、
前記ルートと、前記画像データに対応する画像とを表示するディスプレイと、
前記ルートの可聴版を出力するオーディオ出力デバイスと
を備える、システム。
【請求項２】
前記ルートは、方位情報を含む、請求項１に記載のシステム。
【請求項３】
前記位置データは、緯度データおよび経度データを含む、請求項１に記載のシステム。
【請求項４】
前記画像データに対応する画像は、前記画像のミニチュア版を含む、請求項１に記載のシステム。
【請求項５】
画像を介してある位置までのナビゲーションを容易にするコンピュータ実装方法であって、
前記方法は、
ナビゲーションユニットにおいて、埋め込まれた位置データを有する画像データを含む電子信号を受信することであって、前記位置データは、前記画像データに関連付けられた地理的位置を識別する、ことと、
前記ナビゲーションユニットを用いて、前記ナビゲーションユニットの地理的位置を識別することと、
前記ナビゲーションユニットを用いて、前記位置データおよび前記ナビゲーションユニットの地理的位置を処理することにより、前記ナビゲーションユニットの地理的位置から前記画像データに関連付けられた地理的位置までのルートを示すグラフィカルマップを生成することと、
前記ナビゲーションユニットのディスプレイ上に、前記ルートを表示することと、
前記ナビゲーションユニットに関連付けられた出力デバイスを介して、前記ルートの可聴版を出力することと
を包含する、方法。
【請求項６】
前記位置データは、緯度データおよび経度データを含む、請求項５に記載の方法。
【請求項７】
前記ナビゲーションユニットのディスプレイ上に、前記画像データに関連付けられた画像を表示することをさらに含む、請求項５に記載の方法。
【請求項８】
前記画像は、ミニチュア版で表示される、請求項７に記載の方法。
【請求項９】
前記電子信号は、モバイル電話から直接受信される、請求項５に記載の方法。
【請求項１０】
前記モバイル電話は、デジタルカメラをさらに含む、請求項９に記載の方法。
【請求項１１】
前記電子信号は、ＧＰＳを使用可能なデジタルカメラから受信される、請求項５に記載の方法。
【請求項１２】
前記プロセッサは、局所的マップデータベースにアクセスするように構成された車両内プロセッサである、請求項１に記載のシステム。
【発明の詳細な説明】
【技術分野】
【０００１】
（技術分野）
本出願は、ナビゲーションシステムに関し、より具体的には、遠隔的に送信されたデータに基づいて、目的地までの方向を生成するナビゲーションシステムに関する。
【背景技術】
【０００２】
（関連技術）
車両のナビゲーションシステムは、出発点と目的地との間で、ユーザに対して方向を提供する。一部のシステムにおいて、ユーザは、方向が生成され得る前に、目的地の名前または住所を入力する。
【０００３】
時々ユーザは、目的地の名前、住所、またはその他の識別情報を知らないことがあり得る。世界の特定のエリアにおいて、人々は、道路の正式名によってではなく、局所参照（ｌｏｃａｌ  ｒｅｆｅｒｅｎｃｅ）によって道路を参照する。システムがこれらの局所参照を認識しない場合、システムは、ユーザに方向を提供できない。あるいは一部のエリアは、番地（ｎｕｍｅｒｉｃａｌ  ａｄｄｒｅｓｓ）を使用しないが、その代わりに、建物をそれらが建設された順序によって参照する。この場合、システムはまた、不正確な方向を提供し得る。さらにその他の場合において、ナビゲーションシステムが構成された後に建設された建物は、システムによって識別可能ではないことがあり得る。したがって、改善されたナビゲーションシステムに対する必要性が存在する。
【発明の概要】
【課題を解決するための手段】
【０００４】
（概要）
遠隔入力ナビゲーションシステムは、モバイル位置識別ユニットによって送信された目的地までのルーティング方向を生成することによって、ナビゲーションプロセスを簡素化する。遠隔入力ナビゲーションシステムは、位置データを受信する受信器を含んでおり、位置データは、遠隔モバイル位置識別ユニットからの所望の位置を表す。車両プロセッサは、位置データ内に含まれる少なくとも２つの要素に基づいて、所望の位置までのルーティング方向を生成する。
【０００５】
その他のシステム、方法、特徴、および利点は、以下の図面および詳細な説明を検討した際に、当業者には明らかであるか、または明らかなものとなり得る。そのような追加的なシステム、方法、特徴、および利点の全ては、本記載の範囲内に含まれ、以下の請求の範囲によって保護されることが意図されている。
【０００６】
本発明は、さらに以下の手段を提供する。
【０００７】
（項目１）  
遠隔モバイル位置識別デバイスから受信された位置データに基づいて所望の位置までの方向を生成するシステムであって、
アナログ信号をデータ構造に変換する受信器であって、該データ構造は、所望の位置を表す遠隔位置データを含んでいる、受信器と、
該受信器と通信する車両内データベースであって、該車両内データベースは、該データ構造を保存する、車両内データベースと、
車両プロセッサであって、該車両プロセッサは、該データ構造内に含まれる少なくとも２つの要素に基づいて、該所望の位置までのルーティング方向を生成する、車両プロセッサと
を備えている、システム。
【０００８】
（項目２）  
上記位置データは、緯度データおよび経度データを含む、項目１に記載のシステム。
【０００９】
（項目３）  
上記位置データは、全地球測位信号衛星データを含む、項目１に記載のシステム。
【００１０】
（項目４）  
上記ルーティング方向を出力するインターフェースをさらに含む、項目１に記載のシステム。
【００１１】
（項目５）  
上記インターフェースは、オーディオデバイスを含む、項目４に記載のシステム。
【００１２】
（項目６）  
上記インターフェースは、ディスプレイデバイスを含む、項目４に記載のシステム。
【００１３】
（項目７）  
上記ディスプレイデバイスは、上記ルーティング方向をグラフィカルマップ上に重ね合わせる、項目６に記載のシステム。
【００１４】
（項目８）  
画像に基づいて所望の位置までの方向を生成するシステムであって、
アナログ信号をデータ構造に変換する受信器であって、該データ構造は、画像データおよび位置データを含む、受信器と、
該受信器と通信する車両内データベースであって、該車両内データベースは、該データ構造を保存する、車両内データベースと、
ルーティングモジュールであって、該ルーティングモジュールは、ユーザの選択または入力を処理することなしに、該データ構造に基づいて、該画像の位置までの方向を生成する、ルーティングモジュールと
を備えている、システム。
【００１５】
（項目９）  
上記位置データは、方位データを含む、項目８に記載のシステム。
【００１６】
（項目１０）  
上記位置データは、緯度データおよび経度データを含む、項目８に記載のシステム。
【００１７】
（項目１１）  
ディスプレイデバイスをさらに含み、該ディスプレイデバイスは、上記画像データに関連付けられた画像を表示する、項目１０に記載のシステム。
【００１８】
（項目１２）  
上記ディスプレイデバイスは、上記画像のミニチュア版を表示する、項目１１に記載のシステム。
【００１９】
（項目１３）  
上記ディスプレイデバイスは、上記ルーティング方向をグラフィカルに表示する、項目１２に記載のシステム。
【００２０】
（項目１４）  
コンピュータに実装される方法において、該方法は、画像を介してある位置までのナビゲーションを容易にし、
画像を位置にリンクさせる非ユーザ特有データ構造を受信することと、
該データ構造内の少なくとも２つの要素を用いて、該画像の位置を識別することと、
該データ構造に基づいて、該位置までの方向を生成することと
を包含し、
該方法は、目的地を選択または入力する必要なしに、該画像の位置までの車両のナビゲーションを可能にする、方法。
【００２１】
（項目１５）  
上記データ構造は、緯度データおよび経度データを含む、項目１４に記載の方法。
【００２２】
（項目１６）  
ルート方向をユーザに伝えることをさらに含む、項目１４に記載の方法。
【００２３】
（項目１７）  
上記ルーティング方向を上記ユーザに伝える動作は、該ルーティング方向をディスプレイデバイス上に表示することを含む、項目１６に記載の方法。
【００２４】
（項目１８）  
上記画像を上記ディスプレイデバイス上に表示することをさらに含む、項目１７に記載の方法。
【００２５】
（項目１９）  
上記画像は、ミニチュア版で表示される、項目１８に記載の方法。
【００２６】
（項目２０）  
上記データ構造は、モバイル電話から受信される、項目１４に記載の方法。
【００２７】
（項目２１）  
上記モバイル電話は、デジタルカメラをさらに含む、項目２０に記載の方法。
【００２８】
（項目２２）  
上記データ構造は、ＧＰＳを使用可能なデジタルカメラから受信される、項目１４に記載の方法。
【００２９】
（摘要）
遠隔入力ナビゲーションシステムは、モバイル位置識別ユニットによって送信された目的地までのルーティング方向を生成することによって、ナビゲーションプロセスを簡素化する。遠隔入力ナビゲーションシステムは、位置データを受信する受信器を含んでおり、位置データは、遠隔モバイル位置識別ユニットからの所望の位置を表す。車両内メモリは、位置データを保存する。車両プロセッサは、位置データ内に含まれる少なくとも２つの要素に基づいて、所望の位置までのルーティング方向を生成する。
【図面の簡単な説明】
【００３０】
【図１】図１は、遠隔入力ナビゲーションシステムのブロック図である。
【図２】図２は、遠隔入力ナビゲーションシステムの部分図である。
【図３】図３は、モバイル位置識別ユニットのブロック図である。
【図４】図４は、ナビゲーションデバイスのブロック図である。
【図５】図５は、車両内の遠隔入力ナビゲーションシステムである。
【図６】図６は、モバイル位置識別ユニットの別の図である。
【図７】図７は、遠隔入力ナビゲーションシステムを操作する方法の流れ図である。
【図８】図８は、遠隔入力ナビゲーションシステムを操作する方法の絵図である。
【発明を実施するための形態】
【００３１】
本システムは、以下の図面および記載を参照することによって、さらに良く理解され得る。図中のコンポーネントは、必ずしも拡大縮小されておらず、その代わりに、本発明の原理を示すことが強調されている。さらに、図中では、異なる図面を通して、同様の参照番号が対応するパーツを示している。
【００３２】
（好適な実施形態の詳細な説明）
遠隔入力ナビゲーションシステムは、モバイル位置識別ユニットによって送信された目的地までのルーティング方向を生成することによってナビゲーションプロセスを簡素化する。システムは、遠隔デバイスから位置データを受信することによって、ナビゲーションプロセスを改善し得る。遠隔デバイスは、デバイスの近くに位置する目的地を識別する。目的地は、無線有体媒体を介してナビゲーションデバイスに送信され得る。システムは、目的地に対応する位置データを処理し、目的地までの方向をリアルタイムで、準リアルタイム（ｎｅａｒ  ｒｅａｌ−ｔｉｍｅ）で、または遅延後に生成する。一部のシステムにおいて、位置データは、位置データが埋め込まれた画像または位置データにリンクされた画像を含み得る。これらのシステムにおいては、ルートにいる間に、または目的地への到着時に、ナビゲーションデバイスによって画像が表示され得る。
【００３３】
図１は、遠隔入力ナビゲーションシステム１００のブロック図である。システムは、測位システム１０２、モバイル位置識別ユニット１０４、およびナビゲーションデバイス１０６を含む。測位システム１０２は、モバイル位置識別ユニット１０４へと位置参照データを送信し得る。位置参照データは、連続的に送信されるか、所定の間隔で自動的に送信され得る。一部のシステムにおいては、位置参照データは、モバイル位置識別ユニット１０４からの要求を受信することなしに送信され得る。モバイル位置識別ユニット１０４は、送信された位置参照データを、受信器１０８を介して受信し、局所的な外部メモリまたは分散された外部メモリにおいて、位置参照データのうちの一部または全てを保存し得る。
【００３４】
モバイル位置識別ユニット１０４は、位置データを含むデータ構造を生成し得る。一部のアプリケーションにおいては、位置データは、測位システム１０２から受信された位置参照データのうちの一部または全てを含み得る。その他のアプリケーションにおいて、モバイル位置識別ユニット１０４は、位置参照データのうちの一部または全てを用いることにより、位置データに含まれ得る地理的座標データを生成し得る。地理的座標データは、リアルタイムで、準リアルタイムで、または遅延後に生成され得、位置参照データが受信されたときには、モバイル位置識別ユニット１０４の近似的な位置に対応し得る。モバイル位置識別ユニット１０４によって生成されたデータ構造は、データの完全性を保護するために、デジタル署名を用いて暗号化されたり、あるいはその他のセキュリティ基準を用いて処理または補完されたりし得る。
【００３５】
モバイル位置識別ユニット１０４は、データ構造を含む電子信号を、ナビゲーションデバイス１０６に送信し得る。様々なナビゲーションデバイス１０６との通信を可能にするために、ナビゲーションデバイス１０６は、一意的な数字、英数字、またはモバイル位置識別ユニット１０４との通信を可能にし得るその他の識別のインディシアを有し得る。一部のアプリケーションにおいては、モバイル位置識別ユニット１０４は、この一意的な識別子を用いることによって、様々な通信技術を介してナビゲーションデバイス１０６と直接的に通信し得る。これらの通信技術は、無線周波数（「ＲＦ」）、セルラデジタルパケット（「ＣＤＰＤ」）、符号分割多重アクセス（「ＣＤＭＡ」）、グローバルシステムフォーモバイルコミュニケーション（「ＧＳＭ」）、ショートメッセージサービス（「ＳＭＳ」）、マルチメディアメッセージサービス（「ＭＭＳ」）、および／または衛星リンクを含み得る。あるいは、モバイル位置識別ユニット１０４は、これらの通信技術またはその他の通信技術を用いることによって、中間のデバイスと直接的にインターフェースを取り、中間のデバイスは、ネットワークを介することにより、ナビゲーションデバイス１０６の一意的な識別子およびデータ構造を、ナビゲーションデバイス１０６と通信するデバイスへと転送する。ナビゲーションデバイス１０６が起動されていなかったり、または範囲外にあったりする場合、中間のデバイスは、将来において伝えるためのデータを格納したり、将来に伝えるためにそのようなデータを外部デバイスに格納させたりし得る。
【００３６】
ナビゲーションデバイス１０６は、受信器１１８において、送信された電子信号を受信し得る。受信器１１８は、電子信号をデータ構造に変換し、データ構造のうちの一部または全ては、局所的な外部メモリまたは分散された外部メモリに格納され得る。暗号化されたデータ構造を復号化するために、ナビゲーションデバイス１０６において、復号化基準が用いられ得る。ナビゲーションデバイス１０６は、データ構造を処理し、位置データを識別する。位置データが位置参照データを含む場合、ナビゲーションデバイス１０６は、この情報を処理し、地理的座標データを生成し得る。地理的座標データが取得されると、または地理的座標データが送信されたデータ構造に含まれている場合、ナビゲーションデバイス１０６は、地理的座標データを処理し得る。ナビゲーションデバイス１０６は、地理的座標データを用いることによって、ナビゲーションデバイス１０６の現在の位置から地理的座標データによって識別された目的地までのルーティング方向を生成する。ルーティング方向を生成した後、インターフェースが、ナビゲーションデバイス１０６のユーザにルーティング方向を伝え得る。一部のアプリケーションにおいては、ルーティング方向は、地理的座標データを受信する際に、自動的に生成され得る（例えば、ナビゲーションデバイス１０６のユーザからの追加的な入力は要求されない）。その他のアプリケーションにおいては、ユーザは、ルーティング方向を要求し得る。ユーザの要求は、送信された信号がナビゲーションデバイス１０６において受信されたほぼそのとき、またはいくらかの遅延後に、受信され得る。
【００３７】
図２は、遠隔入力ナビゲーションシステム１００の第２の図である。図２において、測位システム１０２は、一連の全地球測位システム（「ＧＰＳ」）衛星２０２を含み、これらの全地球測位システムは、位置参照データをモバイル位置識別ユニット１０４へとプッシュする。位置参照データは、１つ以上の周波数で送信される低出力無線信号を含み得る。位置参照データは、１つ以上のクロック信号、軌道情報、システム状態メッセージ、遅延モデル、および／またはモバイル位置識別ユニット１０４が送信されたデータを識別することを可能にする一意的な擬似乱数的な同期化信号を含み得る。図２においては、３つのＧＰＳ衛星２０２がモバイル位置識別ユニット１０４と通信している。モバイル位置識別ユニット１０４は、ユニットの近似的な位置を識別する地理的座標データを生成するアプリケーションを実行することによって、これらの信号を処理し得る。地理的座標データは、緯度データおよび経度データを含み得る。一部のアプリケーションにおいては、地理的座標データは、ＧＰＳ衛星２０２によって送信された信号を用いることによって生成され得、モバイル位置識別ユニット１０４の位置を三角測量し得る。
【００３８】
地理的座標データの精度を増加させるために、モバイル位置識別ユニット１０４は、ＧＰＳ衛星２０４と通信し得る。一部のアプリケーションにおいては、モバイル位置識別ユニット１０４は、１２〜２０の異なるＧＰＳ衛星をモニタしたり、かつ／またはそのようなＧＰＳ衛星と通信したりし得る。追加的なＧＰＳ衛星２０４との通信は、モバイル位置識別ユニット１０４および／またはナビゲーションデバイス１０６が、例えば高度データ（ａｌｔｉｔｕｄｅ  ｄａｔａ）および／または方位方向データ（ｂｅａｒｉｎｇ  ｄｉｒｅｃｔｉｏｎ  ｄａｔａ）のような、地理的座標データを生成することを可能にし得る。モバイル位置識別ユニット１０４はまた、ＧＰＳ測位システムの補正係数を決定することによって、地理的座標データの精度を増加させ得る。一部のモバイル識別ユニット１０４においては、補正係数は、局所クロック信号と受信したクロック信号との間の差に基づき得る。モバイル識別ユニット１０４は、送信誤差および／または環境誤差を除去するために、位置参照データを処理するときに補正係数を適用し得る。あるいは、モバイル識別ユニット１０４は、ナビゲーションデバイス１０６に補正係数を送信し得、この補正係数は、受信されたデータをナビゲーションデバイスが処理している間に、誤差を補正し得る。その他のシステムにおいては、測位システム１０２は、モバイル位置識別ユニット１０４へと位置データを送信するその他のセンサを含み得る。これらのセンサまたはその他のセンサは、モバイル通信デバイスまたは固定され分散された通信デバイス、またはその他の位置ロケーション（ｐｏｓｉｔｉｏｎ  ｌｏｃａｔｉｏｎ）ハードウェアおよび／またはソフトウェアの使用を介して三角測量を実行することが可能なネットワークを含み得る。
【００３９】
図３は、モバイル位置識別ユニット１０４のブロック図である。モバイル位置識別ユニット１０４は、コントローラ３０２を含み、コントローラ３０２は、データを送受信、格納、および処理するアプリケーションを実行する。位置参照データは、受信器３０４において受信され、リアルタイムまたは準リアルタイムで処理され得る。受信器３０４は、受信された位置参照データを経時的に変動する電子信号に、またはデジタルデータに変換する。一部のモバイル位置識別ユニット１０４は、受信されたデータのうちの一部または全てを、揮発性または不揮発性のメモリ３０８に格納し得る。ＧＰＳモジュール３１０は、ハードウェアおよび／またはソフトウェアを含み得、そのようなハードウェアおよび／またはソフトウェアは、この受信された位置参照データを処理し、モバイル位置識別ユニット１０４の近似的な地理的座標データを決定し得る。一部のアプリケーションにおいて、ＧＰＳモジュール３１０は、位置参照データに含まれるＧＰＳ衛星クロック信号および軌道情報を識別および使用し、モバイル位置識別ユニット１０４の近似的な地理的座標を識別する。その他のアプリケーションにおいては、モビル識別ユニット１０４の近似的な地理的座標の精度を増加させるために、補正係数が位置参照データに適用され得る。地理的座標データは、メモリ３０８に格納され得る。一部のアプリケーションにおいて、メモリ３０８は、地理上の目的地、住所、場所の名前、交差点、および／または場所のタイプの組織化された電子リストを保存し得、この電子リストは、地理的座標データと相互参照され得る。
【００４０】
入力デバイス３１２および出力デバイス３１４は、モバイル位置識別ユニット１０４とのユーザの相互作用を容易にする。入力デバイス３１２は、ユーザがユニットの様々な機能を制御すること、および／またはナビゲーションデバイス１０６へのデータの送信を開始することを可能にする。入力デバイス３１２は、プッシュボタンスイッチ、選択キー、および／またはタッチスクリーン上のタッチスクリーンエリアを含み得る。出力デバイス３１４は、ディスプレイデバイスおよび／またはオーディオデバイスを含み得る。コントローラ３０２は、オーディオ信号および／またはビジュアル信号を生成し、これらの信号は、出力デバイス３１４を介して伝えられ得る。これらのオーディオ信号および／またはビジュアル信号は、地理的座標データをユーザへと搬送するために用いられ得る。一部のモバイル識別ユニット１０４は、図３の別個の送信器および受信器の代わりに、送受信器を含む。一部のその他のモバイル位置識別ユニット１０４は、入力を受信し、ディスプレイデバイスを介して出力を生成する。その他のモバイル位置識別ユニット１０４は、外部デバイスと通信するために、外部インターフェースを含み得る。これらのデバイスは、遠隔メモリ、ＧＰＳモジュール、および／またはその他の処理ユニットまたはプロセッサを含み得る。
【００４１】
ナビゲーションデバイス１０６へとデータが送信されるとき、コントローラ３０２は、通信媒体を介することにより、位置参照データ、地理的座標データ、および／または相互参照される目的地データを、送信器３０６によって変調され得るデータ構造へとフォーマットし得る。ナビゲーションデバイス１０６と互換性のあるフォーマットのリストは、メモリ３０８に格納され得る。コントローラ３０２は、特定のナビゲーションデバイス１０６と共に用いるための所定のフォーマットを選択するように設計され得る。あるいは、コントローラ３０２は、利用可能な通信帯域、送信速度、サポートされているセキュリティ特徴、またはその他のユーザまたは製造業者が選択可能なパラメータに基づいて、フォーマットを選択し得る。
【００４２】
図４は、ナビゲーションデバイス１０６のブロック図である。ナビゲーションデバイス１０６は、プロセッサ４０２を含み、プロセッサ４０２は、データを送受信、格納、および処理するアプリケーションを実行する。受信器４０４は、モバイル位置識別ユニット１０４から変調された信号を受信し、受信された信号をデータ構造に変換する。データ構造のうちの一部または全ては、揮発性または不揮発性のメモリ４０８において組織化および／または格納され得る。ナビゲーションデバイスのプロセッサ４０２は、このデータ構造を処理し、位置データを識別し得る。
【００４３】
一部のナビゲーションデバイス１０６は、現在の位置を決定し、この情報を用いて、識別された目的地までの方向を生成する。ＧＰＳモジュール４１０は、ナビゲーションデバイス１０６の近似的な位置を自動的に決定するハードウェアおよび／またはソフトウェアを含み得る。あるいは、ユーザは、インターフェース４１４を介して現在の位置を入力し得る。インターフェース４１４は、音声命令を認識したり、あるいはタッチスクリーン、キーボード、またはナビゲーションデバイス１０６の現在の位置の入力を可能にするその他の周辺デバイスを含んでいたりし得る。ナビゲーションシステムの現在の位置の入力は、座標データ、住所データ、および／または識別名データを含み得る。ルーティングモジュール４１２は、ナビゲーションデバイス１０６の現在の位置と、モバイル位置識別ユニット１０４によって供給された位置データとを用い、ルーティング方向を生成し得る。ルーティング方向は、ナビゲーションデバイス１０６のユーザを、位置データに関連付けられた目的地まで案内し得る。
【００４４】
一部のアプリケーションにおいて、ルーティングモジュール４１２は、遠隔的に送信された位置データを受信する際に、ルーティング方向を自動的に生成し得る。その他のアプリケーションにおいて、ルーティングモジュール４１２は、ルーティング方向を生成する前に、ユーザの応答を要求し得る。このユーザの入力は、ナビゲーションデバイス１０６に無線送信されて局所的または遠隔的なメモリ４０８に格納された、目的地に対応する位置データを一意的に識別し得る。
【００４５】
ルーティングモジュール４１２は、車両内のまたは外部に分散されたマップデータベースを含み得、このマップデータベースは、全国的な道路、全市的な道路、または地方自治体の道路、および関心のある地点のデータを格納する。関心のある地点のデータは、有名ではない道路または大通り、湖、河川、海岸線、空港の場所、ガソリンスタンド、警察署、および／またはその他の目立つランドマーク（特定のエリアを介してナビゲートする際に関心のあるランドマーク、またはそのような際にユーザの補助となり得るランドマーク）を含み得る。
【００４６】
一部のアプリケーションにおいて、ナビゲーションデバイス１０６は、ルーティング方向を示すマップをユーザに提示し得る。このマップの表示は、エンドユーザによってカスタマイズ可能であり得る。一部のナビゲーションデバイス１０６は、インターフェース４１４、ヘッドアップディスプレイを介することによって、またはホログラフィによって露出された光感受性媒体上に生成されるパターンによって、ユーザが３次元で表示することを可能にする。
【００４７】
ナビゲーションデバイス１０６は、送受信器４０６を含み得、送受信器４０６は、通信媒体を介して管理システムへと、自動的または所定の間隔で信号を送信し得る。管理システムは、通信デバイスの分散ネットワークに対し、ナビゲーションデバイス１０６の位置を維持し得る。この位置情報は、モバイル識別ユニット１０４がナビゲーションデバイス１０６と通信するときに、送信エリアを狭くするために用いられ得る。
【００４８】
一部のナビゲーションデバイス１０６は、外部デバイスと通信するために、外部インターフェースを含む。これらのデバイスは、遠隔メモリ、ＧＰＳモジュール、ルーティングモジュール、マップデータベース、および／またはその他の処理ユニットまたはプロセッサを含み得る。
【００４９】
一部のナビゲーションデバイス１０６は独立式のデバイスであるが、多くのデバイスは、その他の技術に適合可能である。一部のナビゲーションデバイス１０６は、人間および／または物を輸送するデバイス（例えば、図５の車両５００）の一部分である。車両５００の内部に示されているとき、ナビゲーションデバイス１０６は、搭載型コンピュータ、電子制御ユニット、電子制御モジュール、または車体制御モジュールと通信し得る。その他のアプリケーションにおいて、ナビゲーションデバイス１０６は、アフターマーケットデバイスであり得、このアフターマーケットデバイスは、１つ以上のプロトコルを用いて車両５００と通信する。プロトコルのうちの一部は、Ｊ１８５０ＶＰＷ、Ｊ１８５０ＰＷＭ、ＩＳＯ、ＩＳＯ９１４１０１０２、ＩＳＯ１４２３０、ＣＡＮ、高速ＣＡＮ、ＭＯＳＴ、ＬＩＮ、ＩＤＢ−１３９４、ＩＤＢ−Ｃ、Ｄ２Ｂ、Ｂｌｕｅｔｏｏｔｈ、またはＦｌｅｘＲａｙを含み得る。
【００５０】
図６は、別のモバイル位置識別ユニット（例えば、モバイル通信デバイス６００）である。モバイル通信デバイス６００は、ユーザが所望の位置の画像をキャプチャすることを可能にし、この画像は、ナビゲーションデバイス１０６へと送信される位置データにリンクされるか、そのような位置データ内に埋め込まれ得る。画像モジュール６０４は、画像をキャプチャする光感受性の電子センサを含み得る。画像モジュール６０４は、画像をフレーム、フォーカス、およびプレビューし得る。一部のアプリケーションにおいて、画像モジュール６０４はまた、光の強さを測定および／または調整し得、色の強さを調整し得、画像をキャプチャし得る。一部のモバイル通信デバイス６００は、デジタルに、または有体記録媒体への露光を介して、画像をキャプチャし得る。デジタルにキャプチャされた画像は、揮発性または不揮発性のメモリ６０８内に保存された画像ファイルに格納され得る。これらの画像ファイルのフォーマットは、ＪＰＥＧ、ＧＩＦ、ＴＩＦＦ、またはその他の画像ファイルのフォーマットを含み得る。その他のアプリケーションにおいて、メモリ６０８の部分は、モバイル通信デバイス６００の一体部分であり得る。その他のアプリケーションにおいて、メモリ６０８の部分は、取り外し可能であり得る。
【００５１】
メタデータモジュール６０６は、画像モジュール６０４によってキャプチャされたデジタル画像、および位置データを処理し得る。位置データは、受信された位置参照データに応答してＧＰＳモジュール３１０によって生成され、手動で入力され得るか、かつ／または画像モジュール６０４またはコントローラ６０２に常駐している場面認識ソフトウェアによって生成され得る。メタデータモジュール６０６は、キャプチャされた画像を、この画像と関連付けられる位置データにリンクさせる。一部のアプリケーションにおいては、位置データは、デジタル画像ファイルのヘッダ部分に埋め込まれる。あるいは、メタデータモジュール６０６は、デジタル画像ファイルに位置データタグを添付し得る。メタデータモジュール６０６はまた、日付および時間の情報、画像をキャプチャするために用いられる設定、および／またはその他のデータを、画像ファイルにリンクさせ得る。
【００５２】
関連する位置データにリンクされたデジタル画像は、メモリ６０８に格納され得るか、またはナビゲーションデバイス１０６に送信され得る。リンクされた画像を送信するとき、ユーザは、モバイル通信デバイス６００によって、または外部デバイスによって、一意的なナビゲーションシステム識別子を送信することを、および／または送信されるリンクされた画像を選択することを、促され得る。ユーザは、音声命令を介して、または入力デバイス３１２の一部である１つ以上のボタンまたは選択デバイスを活性化させ、この情報を入力し得る。モバイル通信デバイス６００は、無線または有体の媒体を介することにより、リンクされた画像データを含む電子信号を、選択されたナビゲーションデバイス１０６に送信し得る。
【００５３】
ナビゲーションデバイス１０６は、モバイル通信デバイス６００によって送信された電子信号を受信し、この電子信号をデータ構造に変換する。ナビゲーションデバイスのプロセッサ６０２は、このデータ構造を処理し、デジタル画像ファイルからこの位置データを識別および抽出する。ルーティングモジュール４１２は、位置データを用い、ナビゲーションシステムの現在の位置から位置データに関連付けられた位置までのルートを生成する。ナビゲーションデバイスのプロセッサ４０２は、ナビゲーションデバイス１０６の一部分である出力デバイスまたはナビゲーションデバイス１０６と通信する出力デバイスのタイプを決定し得る。ナビゲーションデバイス１０６は、オーディオ出力デバイスを含み、オーディオルーティング方向が出力され得る。ナビゲーションデバイス１０６がディスプレイデバイスを含んでいる場合、マップが出力され得る。マップはグラフィカルマップであり得る。グラフィカルマップは、地図上にルーティング方向を表示し得る。一部のアプリケーションにおいて、ルーティング方向を示すルートは、マップのその他の部分からルートを区別するために、ハイライトされる。
【００５４】
一部のシステムにおいて、受信されたデジタル画像は、ディスプレイデバイスを介してユーザに表示され得る。デジタル画像は、所望の位置までのルートにいる間に、または所望の位置の到着時に、ルーティング方向を表示する前または後に表示され得る。一部のアプリケーションにおいては、表示されたマップの縁の近くに、デジタル画像のミニチュア版が配置され得る。このサムネール画像の拡大版は、セレクタボタン、タッチスクリーン、または関連する（ｒｅｌａｔｉｖｅ）および／または独立の（ａｂｓｏｌｕｔｅ）ポインティングデバイスを介してサムネール画像を選択することによって、ロードされ得る。
【００５５】
図７は、遠隔入力ナビゲーションシステムの操作方法の流れ図である。動作７０２において、所望の位置の画像がキャプチャされ、画像ファイルに格納される。画像は、モバイル通信デバイス、例えば、デジタルカメラ、デジタルカメラを含むモバイル電話、個人用情報端末、測位システムが備えられた（または測位システムと通信する）個人用通信デバイスを用いてキャプチャされ得る。動作７０４において、キャプチャされた画像に関連付けられた地理的座標データが識別される。モバイル通信デバイスは、測位システム（例えば、ＧＰＳシステム）から受信された位置データに基づいて、地理的座標データを生成し得る。あるいは、地理的座標データは、インターフェースを介して入力されたり、またはモバイル通信デバイスと通信する外部デバイスによって供給されたりし得る。
【００５６】
動作７０６において、キャプチャされた画像に関連付けられた地理的座標データは、画像ファイルにリンクされるか、画像ファイルに埋め込まれる。動作７０８において、リンクされた画像ファイルが送信される。送信は、リアルタイムで、準リアルタイムで、または画像をキャプチャして地理的座標データをキャプチャされた画像にリンクさせたときのいくらかの遅延後に、行われ得る。
【００５７】
動作７１０において、ナビゲーションデバイスは、リンクされた画像を受信し、画像データおよび位置データを識別する。動作７１２において、位置データは、ナビゲーションデバイスの現在の位置から画像におけるキャプチャされた目的地までのルーティング方向を生成する、ルーティングモジュールに供給され得る。動作７１４において、画像データは、ディスプレイデバイスを介してユーザに表示され得る。画像は、ルーティング方向のグラフィカルな表現が表示される前、その間、または後に表示され得る。一部のアプリケーションにおいて、画像のミニチュア版がディスプレイデバイス上に表示され得る。
【００５８】
図８は、遠隔入力ナビゲーションシステムの操作の方法に関する絵図である。動作８０２において、画像はモバイル電話のカメラによってキャプチャされ、地理的な位置データを埋め込まれる。動作８０４において、リンクされた画像は、通信媒体を介することにより、モバイル電話から車両内のナビゲーションデバイスへと送信される。車両内のナビゲーションデバイスは、リンクされた画像を受信し、画像データおよび位置データを識別する。動作８０６において、画像データは、ディスプレイデバイス上に表示される。動作８０８において、車両内のナビゲーションデバイスは、位置データをインポートし、この位置データを使用し、画像がキャプチャされた位置までのルートを生成する。動作８１０において、ルーティング方向は、グラフィカルマップの形式で表示される。
【００５９】
記載されたプロセスの各々は、コンピュータ読み取り可能な媒体（例えば、メモリ）において暗号化されたり、デバイス内（１つ以上の集積回路、１つ以上のプロセッサ）でプログラムされたり、あるいはコントローラまたはコンピュータによって処理され得る。ソフトウェアによってプロセスが実行される場合、ソフトウェアは、格納デバイス、通信インターフェースに常駐するメモリ、または送信器と通信する不揮発性または揮発性のメモリに常駐したり、それらのメモリに対してインターフェースを取られたりし得る。メモリは、ロジックを実行するための実行可能な命令の順序化されたリストを含み得る。ロジックまたは記載されているなんらかのシステム要素は、光学回路網、デジタル回路網を介して、ソースコードを介して、アナログ回路網を介して、またはアナログソースを介して、例えば、電気信号、オーディオ信号、またはビデオ信号を介して、実装され得る。ソフトウェアは、命令を実行可能なシステム、装置、またはデバイスによる使用のために、またはそれらのシステム、装置、またはデバイスと関連して、任意のコンピュータ読み取り可能な媒体または信号−方位媒体（ｓｉｇｎａｌ−ｂｅａｒｉｎｇ  ｍｅｄｉｕｍ）において実体化され得る。そのようなシステムは、コンピュータをベースとしたシステム、プロセッサを含むシステム、または別のシステム（命令を実行可能であり得るシステム、装置、またはデバイスから命令を選択的にフェッチし得る）を含み得る。
【００６０】
「コンピュータ読み取り可能な媒体」、「機械読み取り可能な媒体」、「伝播信号」媒体、および／または「信号方位媒体」は、命令を実行可能なシステム、装置、またはデバイスかによる使用のために、またはそれらのシステム、装置、またはデバイスと関連して、ソフトウェアを蓄積、格納、通信、伝播、または転送する任意のデバイスを含み得る。機械読み取り可能な媒体は、電子的な、磁気的な、光学的な、電磁気的な、赤外線の、または半導体のシステム、装置、デバイス、または伝播媒体のどれかであり得るが、これらには限定されない。機械読み取り可能な媒体の例の包括的ではないリストは、１つ以上のワイヤを有する電気接続、携帯型の磁気的または光学的なディスク、揮発性メモリ、例えば、ランダムアクセスメモリ「ＲＡＭ」（電子的）、リードオンリメモリ「ＲＯＭ」（電子的）、消去可能プログラマブルリードオンリメモリ（ＥＰＲＯＭまたはフラッシュメモリ）（電子的）、光ファイバー（光学的）を含み得るが、これらには限定されない。機械読み取り可能な媒体はまた、有体媒体を含み得、この有体媒体上にソフトウェアが格納され得る。その結果、ソフトウェアは画像または別のフォーマットとして（例えば、光学スキャンを介して）電子的に格納され得、その後コンパイルされ、かつ／または翻訳またはその他の処理を施され得る。その後、処理された媒体は、コンピュータおよび／または機械のメモリに格納され得る。
【００６１】
実装に関する選択された局面、特徴、またはコンポーネントは、メモリに格納されたものとして記載されているが、システムの全てまたは一部（プロセスおよび／またはプロセスを実行するための、システムと整合する命令を含む）は、機械読み取り可能な媒体（例えば、ハードディスク、フロッピー（登録商標）ディスク、およびＣＤ−ＲＯＭのような、２次格納デバイス；ネットワークから受信された信号；またはプロセッサまたはコントローラに常駐するＲＯＭまたはＲＡＭのその他の形式）に格納され得、機械読み取り可能な媒体にわたって分散され得、あるいは機械読み取り可能な媒体から読み取られ得る。
【００６２】
システムの特定のコンポーネントは、追加的または異なるコンポーネントを含み得る。コントローラは、マイクロプロセッサ、マイクロコントローラ、特定用途向け集積回路（ＡＳＩＣ）、ディスクリートロジック、またはその他のタイプの回路またはロジックの組み合わせとして実装され得る。同様に、メモリは、ＤＲＡＭ、ＳＲＳＭ、フラッシュ、またはその他のタイプのメモリであり得る。パラメータ（例えば、状況）、データベース、およびその他のデータ構造は、多くの様々な方法で、別個に格納および管理され得、単一のメモリまたはデータベースに組み込まれ得、論理的および物理的に組織化され得る。プログラムおよび命令のセットは、単一のプログラム、別個のプログラムの部分であるか、またはいくつかのメモリおよびプロセッサを介して分散され得る。
【００６３】
本発明の様々な実施形態が記載されてきたが、当業者には、多くのさらなる実施形態および実装が、本発明の範囲内で可能であることを理解し得る。したがって、本発明は、添付の請求の範囲およびそれらの等価物の範囲以外では、限定されない。
【符号の説明】
【００６４】
１０４  モバイル位置識別システム
３０２  コントローラ
３０４  受信器
３０６  送信器
３０８  メモリ
３１０  ＧＰＳモジュール
３１２  入力デバイス
３１４  出力デバイス
【図１】
2011137831.tif 000003
【図２】
2011137831.tif 000004
【図３】
2011137831.tif 000005
【図４】
2011137831.tif 000006
【図５】
2011137831.tif 000007
【図６】
2011137831.tif 000008
【図７】
2011137831.tif 000009
【図８】
2011137831.tif 000010